(57)【要約】  停止状態にある自動車を運転者が急いで走行させようとするとき等、運転者が自覚せずに、シフトレバー（８）の非駆動位置から駆動位置への切り換え操作よりも先に、アクセルペダル（６）のオフ状態からのオン操作をしてしまうという状況が生じる。こうした状況のもとにあるとき、すなわちアクセルペダル（６）がオン操作された状態でシフトレバー（８）が非駆動位置から駆動位置に切り換えられたときには、アクセル操作量に応じて原動機（１）から駆動力が出力される際に、その駆動力を抑制する駆動力抑制処理が実行される。これにより、シフトレバー（８）が上述したように非駆動位置から駆動位置に切り換えられたとき、原動機（１）の駆動力の車輪（３）への伝達に伴う自動車の走行開始が抑制され、ひいてはそれに伴う運転者の違和感が抑制される。
2012176323.tif 000002
【特許請求の範囲】
【請求項１】
アクセルの操作に応じて原動機から出力される駆動力を調整する制御部と、駆動位置及び非駆動位置に選択的に切り換えられるシフト機構とを備え、前記シフト機構が前記駆動位置にあるときに前記原動機から車輪に駆動力を伝達する一方、前記シフト機構が前記非駆動位置にあるときには前記原動機から前記車輪への駆動力の伝達を遮断する、車両の駆動制御装置において、
前記制御部は、前記アクセルがオン操作された状態で前記シフト機構が前記非駆動位置から前記駆動位置に切り換えられたとき、前記原動機から出力される駆動力を抑制する駆動力抑制処理を実行する
ことを特徴とする車両の駆動制御装置。
【請求項２】
前記制御部は、前記駆動力抑制処理を実行する際、前記原動機から出力される駆動力の抑制度合いを車両の加速度に応じて変更する
請求項１記載の車両の駆動制御装置。
【請求項３】
前記制御部は、前記駆動力抑制処理を実行する際、前記車両の加速度が判定値未満であるときには前記原動機から出力される駆動力の抑制度合いを「０」とする一方、前記車両の加速度が判定値以上であるときには前記原動機から出力される駆動力の抑制度合いを「０」よりも大きくする
請求項２記載の車両の駆動制御装置。
【請求項４】
前記制御部は、前記駆動力抑制処理を実行する際、前記判定値を車速に応じて可変設定する
請求項３記載の車両の駆動制御装置。
【請求項５】
前記制御部は、前記駆動力抑制処理を実行する際、車速が基準値以上であるときには、車両の加速度と前記判定値との大小関係から影響を受けることなく、前記原動機から出力される駆動力の抑制度合いを「０」よりも大きくする
請求項３記載の車両の駆動制御装置。
【発明の詳細な説明】
【技術分野】
【０００１】
本発明は、車両の駆動制御装置に関する。
【背景技術】
【０００２】
特許文献１に示されるように、自動車等の車両は、運転者によるアクセルの操作に応じて原動機から出力される駆動力を調整する制御部を備えており、同原動機から出力される駆動力を車輪に伝達することによって走行する。また、車両には運転者によって駆動位置や非駆動位置に切り換えられるシフト機構が設けられている。そして、このシフト機構が駆動位置にあるときに原動機から車輪に駆動力が伝達される一方、上記シフト機構が非駆動位置にあるときには原動機から車輪への駆動力の伝達が遮断される。
【先行技術文献】
【特許文献】
【０００３】
【特許文献１】特開昭６１−１９０１３５公報
【発明の概要】
【発明が解決しようとする課題】
【０００４】
ところで、停止状態にある車両を走行させようとする際の運転者は、通常、シフト機構を非駆動位置から駆動位置に切り換えてから、オフ状態にあるアクセルをオン状態へと操作する。しかし、運転者が急いでいるような場合には、シフト機構の非駆動位置から駆動位置への切り換えよりもアクセルのオフ状態からのオン操作が早くなってしまう可能性がある。この場合、運転者は上述した通常の操作を行っているつもりであっても、実際はアクセルをオン操作した状態でのシフト機構の非駆動位置から駆動位置への切り換えという通常と異なる操作が行われる。【０００５】
上述したように運転者が自覚せずに通常と異なる操作を行った場合、運転者が想定している車両の挙動と実際の車両の挙動とが食い違うおそれがある。詳しくは、運転者はアクセルをオン操作したときに車両の走行を開始するつもりであるのに対し、実際には上記アクセルのオン操作後にシフト機構を非駆動位置から駆動位置に切り換えたときに原動機の駆動力が車輪に伝達されて車両の走行が開始される。このように、アクセルがオン操作された状態でシフト機構が非駆動位置から駆動位置に切り換えられたときに原動機の駆動力が車輪に伝達されて車両の走行が開始されると、運転者が違和感を覚えることは避けられず、ひいては車両のドライバビリティが低下する。【０００６】
なお、特許文献１には、原動機と車輪との間における駆動力の伝達経路上に設けられた変速機のギヤ比が大きい状態のもとで、アクセルペダルの踏力または踏み込み速度が検出レベルを越えたとき、車両が走行不能状態となるまで原動機から出力される駆動力を低減させる技術が開示されている。こうした特許文献１の技術を適用したとしても、上述した状況下での運転者の違和感に伴う車両のドライバビリティ低下を抑制することはできない。これは、特許文献１の技術を適用したとしても、アクセルがオン操作された状態でシフト機構が非駆動位置から駆動位置に切り換えられたとき、必ずしも原動機から出力される駆動力を低減できるとは限らないことから、そのときに原動機の駆動力が車輪に伝達されて車両の走行が開始される可能性が高いためである。【０００７】
本発明はこのような実情に鑑みてなされたものであって、その目的は、アクセルがオン操作された状態でシフト機構が非駆動位置から駆動位置に切り換えられるときの運転者の違和感を抑制することができ、そうした違和感に起因する車両のドライバビリティ低下を抑制することができる車両の駆動制御装置を提供することにある。
【課題を解決するための手段】
【０００８】
上記目的を達成するため、本発明に従う車両の駆動制御装置は、アクセルがオン操作された状態でシフト機構が非駆動位置から駆動位置に切り換えられたとき、アクセルの操作に応じて原動機から駆動力が出力される際に、その駆動力を抑制する駆動力抑制処理を実行する。ここで、アクセルがオン操作された状態でシフト機構が非駆動位置から駆動位置に切り換えられるという状況としては、停止状態にある車両を運転者が急いで走行させようとするとき等、運転者が自覚せずにシフト機構の非駆動位置から駆動位置への切り換えよりも先にアクセルのオフ状態からのオン操作をしてしまうという状況があげられる。こうした状況のもとでは、アクセルがオン操作された状態でシフト機構が非駆動位置から駆動位置に切り換えられたとき、原動機の駆動力が車輪に伝達されて車両の走行が開始されると、それが運転者にとって違和感を覚える原因となる。しかし、こうした状況下では上記駆動力抑制処理が実行され、それによって原動機から出力される駆動力が抑制されるため、上述したように運転者が違和感を覚えることは抑制される。従って、アクセルがオン操作された状態でシフト機構が非駆動位置から駆動位置に切り換えられるときの運転者の違和感を抑制することができ、そうした違和感に起因する車両のドライバビリティ低下を抑制することができる。【０００９】
本発明の一態様では、上記制御部により駆動力抑制処理が実行される際、原動機から出力される駆動力の抑制度合いが車両の加速度に応じて変更される。この場合、駆動力抑制処理を実行するに当たり、車両の加速度が大きいときほど原動機から出力される駆動力の抑制度合いを大きくすることが可能になる。より具体的には、車両の加速度が判定値未満であるときには原動機から出力される駆動力の抑制度合いを「０」とする一方、車両の加速度が判定値以上であるときには原動機から出力される駆動力の抑制度合いを「０」よりも大きくすることが考えられる。なお、上記判定値については、車速に応じて可変設定することが好ましい。【００１０】
上述したように駆動力抑制処理を行うことで、原動機から出力される駆動力の無駄な抑制を回避しつつ、運転者が違和感を覚えないように同駆動力を抑制することができる。また、車両を泥濘路から脱出させるような状況のもとでは、運転者がシフト機構を非駆動位置と駆動位置との間での切り換えを繰り返し行う場合があり、そのときにアクセルがオン操作された状態でシフト機構が非駆動位置から駆動位置に切り換えられることがある。このように車両を泥濘路から脱出させようとするときには、アクセルがオン操作された状態でシフト機構が非駆動位置から駆動位置に切り換えられたとしても、車両の加速度が大きくなりにくいことから、上記駆動力抑制処理を通じて原動機から出力される駆動力の抑制度合いが小さくなる。従って、駆動力抑制処理による上記駆動力の抑制が車両の泥濘路からの脱出の妨げとなることを抑制でき、車両を泥濘路から脱出させるとき等における車両のドライバビリティを向上させることができる。【００１１】
本発明の一態様では、上記制御部により駆動力抑制処理が実行される際、車速が基準値以上であるときには、車両の加速度と判定値との大小関係から影響を受けることなく、原動機から出力される駆動力の抑制度合いが「０」よりも大きくされる。この場合、駆動力抑制処理を実行するに当たり、車速が大きいとき、すなわち運転者が違和感を覚えやすいとき、的確に原動機から出力される駆動力を抑制して上記違和感を抑制することができる。
【図面の簡単な説明】
【００１２】
【図１】本実施形態の駆動制御装置が適用される自動車全体を示す略図。
【図２】駆動力抑制処理の実行手順を示すフローチャート。
【図３】同処理での駆動力の低減量と自動車の加速度との関係を示すグラフ。
【図４】同処理での加速度の判定値と自動車の車速との関係を示すグラフ。
【発明を実施するための形態】
【００１３】
以下、本発明を自動車の駆動制御装置に具体化した一実施形態について、図１〜図４を参照して説明する。
【００１４】
図１に示すように、自動車は、内燃機関を原動機１として搭載している。そして、原動機１から出力される駆動力が変速装置２等を介して車輪３に伝達されると、同車輪３が回転して自動車が走行するようになる。上記変速装置２は複数のギヤを備えており、予め定められた複数の変速段のうちのいずれか一つを形成するように、それら複数のギヤの組み合わせが変更可能となっている。また、同変速装置２は、原動機１から出力される駆動力を車輪３に伝達したり、その駆動力の伝達を遮断したりすることも可能となっている。すなわち、変速装置２は、駆動力伝達／遮断装置として機能する。
【００１５】
自動車には、原動機１及び変速装置２等に関する各種制御を実行する電子制御装置４が搭載されている。この電子制御装置４には、自動車の車速を検出する車速センサ５、自動車の運転者により踏み込み操作されるアクセルペダル６の操作量（アクセル操作量）を検出するアクセルポジションセンサ７、及び、自動車の運転者によって操作されるシフトレバー８（シフト機構）の位置に対応した信号を出力するシフトポジションセンサ９等の各種センサが接続されている。また、電子制御装置４には、原動機１を駆動するための駆動回路、及び、変速装置２を駆動するための駆動回路等が接続されている。
【００１６】
電子制御装置４は、アクセル操作量等に応じて原動機１から出力される駆動力を調整する。また、電子制御装置４は、アクセル操作量、車速、及び、シフトレバー８の操作位置に基づき、変速装置２における変速段の切り換えや、原動機１と車輪３との間の駆動力の伝達及び遮断を行う。ちなみに、上記シフトレバー８は、パーキング位置、リバース位置、ニュートラル位置、及びドライブ位置といった複数の操作位置のうちのいずれかに切り換え操作される。以下、シフトレバー８の操作位置毎の変速装置２の駆動態様について列記する。
【００１７】
シフトレバー８がパーキング位置に切り換えられると、変速装置２におけるギヤの噛み合いにより車輪３の回転が禁止されるとともに、原動機１から出力される駆動力の車輪３への伝達が遮断されるよう変速装置２が電子制御装置４を通じて駆動される。シフトレバー８がニュートラル位置に切り換えられると、上述した変速装置２におけるギヤの噛み合いによる車輪３の回転禁止が解除されるとともに、原動機１から出力される駆動力の車輪３への伝達が遮断されるよう変速装置２が電子制御装置４を通じて駆動される。従って、シフトレバー８のパーキング位置やニュートラル位置は、原動機１から出力される駆動力の車輪３への伝達を遮断するための操作位置（以下、非駆動位置という）となる。
【００１８】
シフトレバー８がドライブ位置に切り換えられると、原動機１から出力される駆動力が車輪３に対し正回転方向に伝達されるよう変速装置２が電子制御装置４を通じて駆動される。シフトレバー８がリバース位置に切り換えられると、原動機１から出力される駆動力が車輪３に対し逆回転方向に伝達されるよう変速装置２が電子制御装置４を通じて駆動される。従って、シフトレバー８のドライブ位置やリバース位置は、原動機１から出力される駆動力を車輪３に伝達するための操作位置（以下、駆動位置という）となる。
【００１９】
ところで、停止状態にある自動車を走行させようとする際の運転者は、通常、シフトレバー８をパーキング位置等の非駆動位置からドライブ位置やリバース位置といった駆動位置に切り換えてから、オフ状態にあるアクセルペダル６をオン状態へと踏み込み操作する。しかし、運転者が急いでいるような場合には、シフトレバー８の非駆動位置から駆動位置への切り換え操作よりもアクセルペダル６のオフ状態からオン状態への踏み込み操作（オン操作）が早くなってしまう可能性がある。この場合、運転者は上述した通常の操作を行っているつもりであっても、実際はアクセルペダル６をオン操作した状態でのシフトレバー８の非駆動位置から駆動位置への切り換えという通常と異なる操作が行われる。
【００２０】
上述したように運転者が自覚せずに通常と異なる操作を行った場合、運転者が想定している自動車の挙動と実際の自動車の挙動とが食い違うおそれがある。詳しくは、運転者はアクセルペダル６のオン操作時に自動車の走行を開始するつもりであるのに対し、実際には上記アクセルペダル６のオン操作後にシフトレバー８を非駆動位置から駆動位置に切り換えたときに原動機１の駆動力が車輪３に伝達されて自動車の走行が開始される。このように、アクセルペダル６がオン操作された状態でシフトレバー８が非駆動位置から駆動位置に切り換えられたときに原動機１の駆動力が車輪３に伝達されて自動車の走行が開始されると、運転者が違和感を覚えることは避けられず、ひいては自動車のドライバビリティが低下する。
【００２１】
そこで本実施形態では、アクセルペダル６がオン操作された状態でシフトレバー８が非駆動位置から駆動位置に切り換えられたとき、アクセル操作量に応じて原動機１から駆動力が出力される際に、その駆動力を抑制する駆動力抑制処理を実行する。従って、停止状態にある自動車を運転者が急いで走行させようとするとき等、運転者が自覚せずにシフトレバー８の非駆動位置から駆動位置への切り換え操作よりも先に、アクセルペダル６のオフ状態からのオン操作をしてしまうという状況が生じると、上記駆動力抑制処理が実行される。すなわち、運転者がアクセルペダル６をオン操作した状態でシフトレバー８を非駆動位置から駆動位置に切り換えたとき、上記駆動力抑制処理が実行されて原動機１から出力される駆動力が抑制される。これにより、上述したようにシフトレバー８が非駆動位置から駆動位置に切り換えられたとき、原動機１の駆動力が車輪３に伝達されて自動車の走行が開始されること、更にはそれに伴い運転者が違和感を覚えることは抑制される。従って、アクセルペダル６がオン操作された状態でシフトレバー８が非駆動位置から駆動位置に切り換えられるときの運転者の違和感を抑制することができ、そうした違和感に起因する自動車のドライバビリティ低下を抑制することができる。
【００２２】
ここで、上記駆動力抑制処理の実行手順について、駆動力抑制ルーチンを示す図２のフローチャートを参照して説明する。この駆動力抑制ルーチンは、電子制御装置４を通じて、例えば所定時間毎の時間割り込みにて周期的に実行される。
【００２３】
同ルーチンにおいては、まず、駆動力抑制処理の実行中か否かの判断に用いられるフラグＦが０（停止中）であるか否かの判断が行われる（Ｓ１０１）。ここで肯定判定であれば、アクセルペダル６がオン操作された状態であるか否かの判断（Ｓ１０２）、シフトレバー８が非駆動位置から駆動位置に切り換えられたか否かの判断（Ｓ１０３）が行われる。なお、シフトレバー８が非駆動位置から駆動位置に切り換えられる状況としては、運転者がシフトレバー８をパーキング位置もしくはニュートラル位置からドライブ位置もしくはリバース位置に切り変えるという状況が考えられる。また、ニュートラル位置が例えばドライブ位置とリバース位置との間にある場合には、運転者がシフトレバー８をドライブ位置とリバース位置との間での切り換えを繰り返して行うという状況も、シフトレバー８が非駆動位置から駆動位置に切り換えられる状況としてあげられる。そして、アクセルペダル６がオン操作された状態であり、且つ、シフトレバー８が非駆動位置から駆動位置に切り換えられたときには、Ｓ１０２とＳ１０３とで共に肯定判定がなされて駆動力抑制処理が実行される（Ｓ１０４）。このように駆動力抑制処理が実行されると、フラグＦが「１（実行中）」に設定される（Ｓ１０５）。そして、フラグＦが「１（実行中）」であるときにはＳ１０１で否定判定がなされるため、Ｓ１０２及びＳ１０３をスキップしてＳ１０４以降の処理が実行される。
【００２４】
上記駆動力抑制処理の実行中には、その駆動力抑制処理の終了に関係する処理（Ｓ１０６〜Ｓ１０８）が実行される。この一連の処理では、アクセル操作量に応じて原動機１から出力されるべき駆動力として同アクセル操作量に基づき求められる要求駆動力が、駆動力抑制処理による抑制後の駆動力である制御駆動力未満になったか否かが判断される（Ｓ１０６：ＹＥＳ）。例えば、運転者によるアクセルペダル６のオン操作が解除されてオフ状態となってアクセル操作量が「０」になった場合には、上記要求駆動力が上記制御駆動力未満となってＳ１０６で肯定判定がなされる。ここで肯定判定がなされると、駆動力抑制処理が終了される（Ｓ１０７）。そして、駆動力抑制処理の終了に伴い原動機１から出力される駆動力の抑制が停止されるため、それ以後は原動機１から出力される駆動力がアクセル操作量に基づいて上記要求駆動力となるように調整される。また、駆動力抑制処理の終了後には、フラグＦが「０（停止中）」に設定される（Ｓ１０８）。
【００２５】
次に、駆動抑制ルーチンにおけるＳ１０４の駆動力抑制処理について、図３及び図４を参照して詳しく説明する。
【００２６】
駆動力抑制処理において、原動機１から出力される駆動力の抑制は、その駆動力を低減量分だけ低減することによって実現される。従って、上記低減量を大きくするほど、駆動力低減処理による原動機１から出力される駆動力の抑制度合いが大きくされる。ちなみに、駆動力低減処理による原動機１から出力される駆動力の抑制度合いは、車速センサ５の検出信号に基づき求められる自動車の加速度に応じて変更される。例えば、自動車の加速度が大きいときほど上記低減量が大きくされて原動機１から出力される駆動力の抑制度合いが大きくされる。より具体的には、例えば図３に示すように、自動車の加速度が判定値ＨＡ未満であるときには、上記低減量が「０」とされて原動機１から出力される駆動力の抑制度合いが「０」とされる。一方、自動車の加速度が判定値ＨＡ以上であるときには、その加速度が判定値ＨＡよりも大きくなるほど、上記低減量が「０」よりも大きくされて原動機１から出力される駆動力の抑制度合いが「０」よりも大きくされる。
【００２７】
上述したように駆動力抑制処理を行うことで、原動機１から出力される駆動力の無駄な抑制を回避しつつ、運転者が違和感を覚えないように同駆動力を抑制することができる。また、自動車を泥濘路から脱出させるような状況のもとでは、運転者がシフトレバー８を非駆動位置と駆動位置との間での切り換え操作を繰り返し行う場合があり、そのときにアクセルペダル６がオン操作された状態でシフトレバー８が非駆動位置から駆動位置に切り換えられることがある。このように自動車を泥濘路から脱出させようとするときには、アクセルペダル６がオン操作された状態でシフトレバー８が非駆動位置から駆動位置に切り換えられたとしても、自動車の加速度が大きくなりにくいことから、上記駆動力抑制処理を通じて原動機１から出力される駆動力の抑制度合いが小さくなる。従って、駆動力抑制処理による上記駆動力の抑制が自動車の泥濘路からの脱出の妨げとなることを抑制でき、自動車を泥濘路から脱出させるとき等における自動車のドライバビリティを向上させることができる。
【００２８】
なお、駆動力抑制処理で用いられる上記判定値ＨＡについては、車速に応じて予め実験等により定められた最適値となるように可変設定することが好ましい。このように車速に応じて可変設定される判定値ＨＡは、例えば図４に実線で示すように車速に応じて推移する。同図から分かるように、車速が所定値ＫＢ未満であるときには、判定値ＨＡは予め実験等により定められた最適値で一定とされる。また、車速が所定値ＫＢ以上であり且つ基準値ＫＡ未満であるときには、判定値ＨＡが車速の上昇に伴って徐々に小さくされる。更に、車速が基準値ＫＡ以上であるとき、判定値ＨＡは「０」とされる。従って、駆動力抑制処理が実行される際、車速が基準値ＫＡ以上であるときには、自動車の加速度と判定値ＨＡとの大小関係から影響を受けることなく、原動機１から出力される駆動力の抑制度合いが自動車の加速度に応じて「０」よりも大きくされる。すなわち、原動機１から出力される駆動力の抑制度合いを上記のように「０」よりも大きくすべく、上記低減量が自動車の加速度に応じて「０」よりも大きい値とされる。この場合、駆動力抑制処理を実行するに当たり、車速が基準値ＫＡよりも大きいとき、すなわち運転者が違和感を覚えやすいとき、的確に原動機１から出力される駆動力を抑制して上記違和感を抑制することができる。
【００２９】
以上詳述した本実施形態によれば、以下に示す効果が得られるようになる。
【００３０】
（１）停止状態にある自動車を運転者が急いで走行させようとするとき等、運転者が自覚せずにシフトレバー８の非駆動位置から駆動位置への切り換え操作よりも先に、アクセルペダル６のオフ状態からのオン操作をしてしまうという状況が生じる。こうした状況下にあるとき、すなわちアクセルペダル６がオン操作された状態でシフトレバー８が非駆動位置から駆動位置に切り換えられたときには、アクセル操作量に応じて原動機１から駆動力が出力される際に、その駆動力を抑制する駆動力抑制処理が実行される。これにより、シフトレバー８が上述したように非駆動位置から駆動位置に切り換えられたとき、原動機１の駆動力の車輪３への伝達による自動車の走行開始が抑制され、ひいてはそれに伴う運転者の違和感が抑制される。従って、アクセルペダル６がオン操作された状態でシフトレバー８が非駆動位置から駆動位置に切り換えられるときの運転者の違和感を抑制することができ、そうした違和感に起因する自動車のドライバビリティ低下を抑制することができる。
【００３１】
（２）上記駆動力低減処理による原動機１から出力される駆動力の抑制度合いは、自動車の加速度に応じて変更される。詳しくは、自動車の加速度が判定値ＨＡ未満であるときには原動機１から出力される駆動力の抑制度合いが「０」とされる一方、自動車の加速度が判定値ＨＡ以上であるときには同加速度が判定値ＨＡよりも大きくなるほど原動機１から出力される駆動力の抑制度合いが「０」よりも大きくされる。このように駆動力抑制処理を行うことで、原動機１から出力される駆動力の無駄な抑制を回避しつつ、運転者が違和感を覚えないように同駆動力を抑制することができる。
【００３２】
（３）また、自動車を泥濘路から脱出させる状況下で、アクセルペダル６がオン操作された状態でシフトレバー８が非駆動位置から駆動位置に切り換えられたときには、自動車の加速度が大きくなりにくいため、上記駆動力抑制処理を通じて原動機１から出力される駆動力の抑制度合いが小さくなる。従って、駆動力抑制処理による上記駆動力の抑制が自動車の泥濘路からの脱出の妨げとなることを抑制でき、自動車を泥濘路から脱出させるとき等における自動車のドライバビリティを向上させることができる。
【００３３】
（４）駆動力抑制処理で用いられる上記判定値ＨＡについては、車速に応じて予め実験等により定められた最適値となるように可変設定される。そして、車速が基準値ＫＡ以上であるときには判定値ＨＡが「０」とされるため、駆動力抑制処理が実行される際に車速が基準値ＫＡ以上であれば、自動車の加速度と判定値ＨＡとの大小関係から影響を受けることなく、原動機１から出力される駆動力の抑制度合いが自動車の加速度に応じて「０」よりも大きくされる。この場合、駆動力抑制処理を実行するに当たり、車速が基準値ＫＡよりも大きいとき、すなわち運転者が違和感を覚えやすいとき、的確に原動機１から出力される駆動力を抑制して上記違和感を抑制することができる。
【００３４】
なお、上記実施形態は、例えば以下のように変更することもできる。
【００３５】
・判定値ＨＡの車速に基づく可変設定は必ずしも図４に示す態様で行う必要はなく、自動車の緒元等に応じて任意に変更することが可能である。
【００３６】
・判定値ＨＡについては、必ずしも車速に応じて可変設定する必要はなく、実験等により定められた最適値に固定されていてもよい。
【００３７】
・駆動力抑制処理での駆動力の低減量は自動車の加速度に応じて可変設定されるが、そうした可変設定を必ずしも図３に示す態様で行う必要はなく、自動車の緒元等に応じて任意に変更することが可能である。例えば、加速度が判定値ＨＡ未満のとき、低減量が「０」より大きくなるよう可変設定することも可能である。なお、加速度が判定値ＨＡ未満のときの低減量に関しては、「０」よりも大きい一定値としたり、加速度の増加に伴い増大する可変値としたりすることが可能である。また、加速度が判定値ＨＡ以上のときの低減量を、「０」よりも大きい一定値となるようにしてもよい。
【００３８】
・上記低減量については、必ずしも自動車の加速度に応じて可変設定する必要はなく、実験等により定められた最適値に固定されていてもよい。この場合、駆動力抑制処理が実行されると、自動車の加速度に関係なく上記最適値に設定された低減量分だけ原動機１から出力される駆動力の低減が行われる。その結果、駆動力処理により上記駆動力の抑制が行われる際、その駆動力の抑制度合いが自動車の加速度に関係なく一定とされる。
【００３９】
・図２に示す駆動力抑制ルーチンのＳ１０３で、シフトレバー８が非駆動位置から駆動位置に切り換えられたと判断される状況としては、上記実施形態に例示した状況だけでなく例えば次のような状況もあげられる。運転者がシフトレバー８をパーキング位置からドライブ位置に切り換えるという状況。運転者がシフトレバー８をパーキング位置からリバース位置切り換えるという状況。運転者がシフトレバー８をニュートラル位置からドライブ位置に切り換えるという状況。運転者がシフトレバー８をニュートラル位置からリバース位置に切り換えるといいう状況。
【００４０】
・シフト機構としてボタン操作により駆動位置と非駆動位置との間での切り換えが行われるものなど、シフトレバー８以外のシフト機構を採用してもよい。
【００４１】
・自動車の原動機１として内燃機関を例示したが、同原動機としてモータを採用してもよい。また、内燃機関とモータとの二つを原動機１として採用することも可能である。この場合、内燃機関とモータとを切り換えて原動機としたり、それら内燃機関とモータとを併用して原動機としたりすることが考えられる。
【符号の説明】
【００４２】
１…原動機、２…変速装置、３…車輪、４…電子制御装置、５…車速センサ、６…アクセルペダル、７…アクセルポジションセンサ、８…シフトレバー、９…シフトポジションセンサ。
【図１】
2012176323.tif 000003
【図２】
2012176323.tif 000004
【図３】
2012176323.tif 000005
【図４】
2012176323.tif 000006
【手続補正書】
【提出日】平成24年1月16日(2012.1.16)
【手続補正１】
【補正対象書類名】特許請求の範囲
【補正対象項目名】全文
【補正方法】変更
【補正の内容】
【特許請求の範囲】
【請求項１】
アクセルの操作に応じて原動機から出力される駆動力を調整する制御部と、駆動位置及び非駆動位置に選択的に切り換えられるシフト機構とを備え、前記シフト機構が前記駆動位置にあるときに前記原動機から車輪に駆動力を伝達する一方、前記シフト機構が前記非駆動位置にあるときには前記原動機から前記車輪への駆動力の伝達を遮断する、車両の駆動制御装置において、
前記制御部は、前記アクセルがオン操作された状態で前記シフト機構が前記非駆動位置から前記駆動位置に切り換えられたとき、前記原動機から出力される駆動力を抑制する駆動力抑制処理を実行するものであり、その駆動力抑制処理を実行する際、前記原動機から出力される駆動力の抑制度合いを車両の加速度に応じて変更する
ことを特徴とする車両の駆動制御装置。
【請求項２】
前記制御部は、前記駆動力抑制処理を実行する際、前記車両の加速度が判定値未満であるときには前記原動機から出力される駆動力の抑制度合いを「０」とする一方、前記車両の加速度が判定値以上であるときには前記原動機から出力される駆動力の抑制度合いを「０」よりも大きくする
請求項１記載の車両の駆動制御装置。
【請求項３】
前記制御部は、前記駆動力抑制処理を実行する際、前記判定値を車速に応じて可変設定する
請求項２記載の車両の駆動制御装置。
【請求項４】
前記制御部は、前記駆動力抑制処理を実行する際、車速が基準値以上であるときには、車両の加速度と前記判定値との大小関係から影響を受けることなく、前記原動機から出力される駆動力の抑制度合いを「０」よりも大きくする
請求項２記載の車両の駆動制御装置。
【国際調査報告】
2012176323.tif 000007
2012176323.tif 000008
2012176323.tif 000009
2012176323.tif 000010